(57)【要約】【課題】小型化が容易で設置自由度と印象づけを向上できる外壁耐震性能展示装置を提供する。【解決手段】床面に対する角度が可変に支持された可動支柱（２２）と、可動支柱（２２）に固定された取付金具（２２ａ）と、取付金具（２２ａ）により保持された外壁パネル（２１ａ〜２１ｄ）と、可動支柱（２２）に取り付けられたハンドル（１６）を備える外壁耐震性能展示装置（１００）。【選択図】図１
2020071246.tif 000002
【特許請求の範囲】
【請求項１】
床面に対する角度が可変に支持された可動支柱と、
前記可動支柱に固定された取付金具と、
前記取付金具により保持された外壁パネルと、
前記可動支柱に取り付けられたハンドルを備えることを特徴とする外壁耐震性能展示装置。
【請求項２】
請求項１に記載の外壁耐震性能展示装置であって、
複数の前記外壁パネルが間隙を設けて並列され、前記間隙に目地シーリングが施されていることを特徴とする外壁耐震性能展示装置。
【請求項３】
請求項１または２に記載の外壁耐震性能展示装置であって、
前記可動支柱および前記外壁パネルを収容するケースを有し、
前記ケースの正面には、前記可動支柱および前記外壁パネルの一部を視認可能な窓部が設けられていることを特徴とする外壁耐震性能展示装置。
【請求項４】
請求項３に記載の外壁耐震性能展示装置であって、
前記ケースの側面には開口部が形成されており、前記開口部から前記ハンドルが外部に突出して設けられていることを特徴とする外壁耐震性能展示装置。
【請求項５】
請求項３または４に記載の外壁耐震性能展示装置であって、
前記窓部の中心は、前記床面から１００〜１６０ｃｍの範囲であることを特徴とする外壁耐震性能展示装置。
【発明の詳細な説明】
【技術分野】
【０００１】
本発明は、外壁耐震性能展示装置に関する。
【背景技術】
【０００２】
住宅展示場では、実際の住宅を展示するだけではなく、住宅建築に用いられている技術を来場者に説明するための展示スペースを設ける場合がある。このような展示スペースで展示される技術としては、住宅基礎の構造や工法、住宅躯体の構造や工法、外壁の遮熱性能や防炎性能、外壁の耐震性能等が挙げられる。これらの技術のうち、外壁の耐震性能を効果的に展示するために、梁材に外壁パネルを取り付けたうえで梁材を動かし、梁材の変位によっても外壁パネルや目地材の破損が生じないことを視認させる装置が提案されている（例えば特許文献１〜３等を参照）。
【先行技術文献】
【特許文献】
【０００３】
【特許文献１】特開平１１−２２４０５３号公報
【特許文献２】特開２００２−２２１９０７号公報
【特許文献３】特開２００８−１０７６３０号公報
【発明の概要】
【発明が解決しようとする課題】
【０００４】
しかし、引用文献１〜３に記載された技術は、軽量鉄骨や重量鉄骨を用いた工業化住宅の技術を展示するものであり、電動のモータや制御装置を用いて梁材を変異させるため展示装置が大型化するという問題があった。また、モータや制御装置に電力を供給するための電源付近に展示装置を設置する必要があり、設置場所の自由度が低くなるという問題もあった。また、制御装置のスイッチ操作で展示装置を動作させるため、来場者は展示装置の動作を観察するだけで展示内容を体験することで得られる印象を強めることが困難であった。
【０００５】
そこで本発明は、小型化が容易で設置自由度と印象づけを向上できる外壁耐震性能展示装置を提供することを課題とする。
【課題を解決するための手段】
【０００６】
上記課題を解決するために、本発明の外壁耐震性能展示装置は、床面に対する角度が可変に支持された可動支柱と、前記可動支柱に固定された取付金具と、前記取付金具により保持された外壁パネルと、前記可動支柱に取り付けられたハンドルを備えることを特徴とする。
【０００７】
このような本発明の外壁耐震性能展示装置では、来場者が自らハンドルを操作して可動支柱を揺動させ、可動支柱の変位時における外壁パネルと取付金具の状態を視認することができ、展示内容への寄与度が高まり来場者の印象を強めることができる。また、電動のモータや制御装置が不要なため、小型化を図るとともに設置自由度を向上させることができる。
【０００８】
また本発明の一態様では、複数の前記外壁パネルが間隙を設けて並列され、前記間隙に目地シーリングが施されている。
【０００９】
また本発明の一態様では、前記可動支柱および前記外壁パネルを収容するケースを有し、前記ケースの正面には、前記可動支柱および前記外壁パネルの一部を視認可能な窓部が設けられている。
【００１０】
また本発明の一態様では、前記ケースの側面には開口部が形成されており、前記開口部から前記ハンドルが外部に突出して設けられている。
【００１１】
また本発明の一態様では、前記窓部の中心は、前記床面から１００〜１６０ｃｍの範囲である。
【発明の効果】
【００１２】
本発明では、小型化が容易で設置自由度と印象づけを向上できる外壁耐震性能展示装置を提供することができる。
【図面の簡単な説明】
【００１３】
【図１】本発明における外壁耐震性能展示装置１００の構造を示す模式図であり、図１（ａ）は上面図であり、図１（ｂ）は正面図である。
【図２】ケース１０内部に収容されている揺動展示部２０の構造を示す模式正面図である。
【図３】ケース１０内部に収容されている揺動展示部２０の構造を示す模式側面図である。
【発明を実施するための形態】
【００１４】
以下、本発明の実施の形態について、図面を参照して詳細に説明する。各図面に示される同一または同等の構成要素、部材、処理には、同一の符号を付すものとし、適宜重複した説明は省略する。図１は、本発明における外壁耐震性能展示装置１００の構造を示す模式図であり、図１（ａ）は上面図であり、図１（ｂ）は正面図である。図１（ａ）（ｂ）に示すように、外壁耐震性能展示装置１００は、ケース１０内に揺動展示部２０が収容されている。
【００１５】
ケース１０は、正面１１と、側面１２，１３と、窓部１４、ストッパー１５を備えた略箱状の部材である。ケース１０は、窓部１４を介して揺動展示部２０の一部を外部から視認可能にするとともに、一部を遮蔽して内部に収容する。ケース１０を構成する材料は特に限定されず、樹脂や金属、木材等の公知の材料を用いることができる。図１（ａ）（ｂ）では、ケース１０の上部を開放した例を示しているが、天面を備えて内部空間に埃が入ることを防止し、安全性を高めるとしてもよい。ケース１０の大きさは限定されないが、高さを約１８０〜２３０ｃｍの範囲とし、幅を約１００〜１５０ｃｍの範囲とし、奥行きを約１０〜３０ｃｍの範囲とすることで、設置面積を小さくしつつ十分に展示内容を提示可能であり、来場者が操作することも容易である。
【００１６】
正面１１は、来場者の視認位置に対向して配置された板状部分であり、揺動展示部２０の略全面を覆うように設けられている。正面１１の幅方向で略中央には、来場者の視線と同程度の高さ位置に窓部１４が設けられている。正面１１に非透明な材料を用いる場合には、窓部１４以外の領域では揺動展示部２０の一部を隠蔽することができ、揺動展示部２０のうち重要な部分のみを来場者に対して提示することができる。正面１１に透明な材料を用い、正面１１全体を窓部１４として機能させる場合には、揺動展示部２０の全領域を来場者に対して提示することができる。
【００１７】
側面１２，１３は、正面１１の両側に設けられて揺動展示部２０の側方を遮蔽する板状部分である。一方の側面１２には開口部（図示省略）が形成されており、開口部からハンドル１６がケース１０の外部に突出している。側面１２，１３を設けてハンドル１６を突出させることで、来場者は揺動展示部２０のハンドル１６のみに触れることができ、後述する揺動展示部２０の可動部に手が触れることを防止して安全性を高めることができる。側面１２，１３の内側では、Ｌ字金具（図示省略）を用いて背後の壁面に固定し、ケース１０の転倒を防止する。
【００１８】
窓部１４は、正面１１に設けられた透明な領域であり、例えば樹脂やガラス等の板状部材で構成することができる。窓部１４からはケース１０の内部を視認可能であり、揺動展示部２０のうち来場者に提示したい領域である外壁パネル２１ａ〜２１ｄと、可動支柱２２と、取付金具２２ａと、目地シーリング２３の一部を外部に提示する。窓部１４の中心位置は限定されないが、床面から約１００〜１６０ｃｍの範囲とすることで、来場者が良好に窓部１４を介してケース１０の内部に展示された揺動展示部２０を視認できる。また、窓部１４のサイズも特に限定されないが、約７０〜９０ｃｍの範囲とすることで、来場者が内部を視認しやすくなる。
【００１９】
ストッパー１５は、側面１２，１３の内側に設けられた衝撃吸収部材であり、例えば板状ゴムやバネ等の弾性体を用いることができる。ストッパー１５は、少なくとも可動支柱２２の上端部と同程度の高さに設けておくことが好ましい。ストッパー１５を設けることで、揺動展示部２０を横方向に変位させた場合にも、揺動展示部２０が側面１２，１３に衝突することを防止する。
【００２０】
ハンドル１６は、揺動展示部２０に取り付けられ、側面１２に設けられた開口部から外部に取り出される部材である。ハンドル１６を取り付ける位置は限定されないが、後述する可動支柱２２の側面１２に最も近い位置に取り付けることが好ましい。図１ではハンドル１６として略コの字形状に折り曲げられた棒状部材を示しているが、来場者が把持して揺動展示部２０を動かすことができれば、形状や構造は限定されない。ハンドル１６を設ける位置は特に限定されないが、床面から約１００〜１６０ｃｍの範囲とすることで、来場者が操作しやすくなる。また、ハンドル１６の中心高さを窓部１４の中心高さと略同程度とすることで、来場者の操作と揺動展示部２０の動作との連動性が高まり、展示内容をより印象づけることができる。
【００２１】
外壁パネル２１ａ〜２１ｄは、実際に住宅の外壁に用いられるパネル材であり、それぞれが可動支柱２２に取付金具２２ａによって取り付けられている。図示したように外壁パネル２１ａ〜２１ｄはそれぞれ隣り合うように所定の間隙を設けて並列に配置されており、間隙には目地シーリング２３が施されている。
【００２２】
可動支柱２２は、床面に対する角度が可変に支持された板状部材であり、取付金具２２ａが固定されて外壁パネル２１ａ〜２１ｄが取り付けられる。また、側面１２の開口部と対応する位置にハンドル１６が取り付けられている。
【００２３】
取付金具２２ａは、可動支柱２２に固定されて外壁パネル２１ａ〜２１ｄを保持する部材である。図１（ｂ）では外壁パネル２１ａ〜２１ｄから露出した取付金具２２ａのみを示しているが、外壁パネル２１ａ〜２１ｄの各々について上辺２箇所と下辺２箇所に設けられている。取付金具２２ａの具体的構造は限定されず、外壁パネル２１ａ〜２１ｄと目地シーリング２３の耐震性能を実現するための展示対象物を用いる。
【００２４】
目地シーリング２３は、実際に住宅の外壁に用いられるシーリング（コーキング）材であり、公知の材料と施工方法を用いて、外壁パネル２１ａ〜２１ｄ同士の間隙に充填されている。
【００２５】
図１（ｂ）では３本の可動支柱２２が等間隔に設けられ、向かって左側に外壁パネル２１ａ，２１ｂを上下に並べ、右側に外壁パネル２１ｃ，２１ｄを上下に並べ、４枚を２行２列に配列した例を示したが、枚数や配列方法は限定されない。
【００２６】
次に図２，３を用いて、外壁耐震性能展示装置１００の内部に収容される揺動展示部２０の構造例について説明する。図２は、ケース１０内部に収容されている揺動展示部２０の構造を示す模式正面図である。図３は、ケース１０内部に収容されている揺動展示部２０の構造を示す模式側面図である。揺動展示部２０は、下部が床面１１０上に設置され、上部が壁面１２０に固定されている。
【００２７】
図３に示すように、各可動支柱２２の上部には上部梁２４が設けられており、上部梁２４はスライド金具３０で摺動可能に支持されている。また、各可動支柱２２の下部には支点金具４０が設けられている。可動支柱２２の下端近傍には貫通孔２５が形成されており、上端近傍には貫通孔２６が形成されている。上部梁２４にも、貫通孔２６に対応する位置に貫通孔（図示省略）が形成されている。上部梁２４は、図示しないボルト等の連結部材を貫通孔２６に挿入することで、可動支柱２２上端で回動可能に連結されている。
【００２８】
図３中に部分拡大図で示したように、スライド金具３０は、壁面固定部３１と、フランジ部３２と、Ｌ字部３３と、挟持部３４ａ，３４ｂを備えている。壁面固定部３１は、壁面１２０にアンカー等の固定部材を用いて固定される平板状部分である。フランジ部３２は、床面１１０に略平行に配置された平板状部分である。Ｌ字部３３は、壁面固定部３１およびフランジ部３２と一体に形成された断面Ｌ字形状の部分であり、フランジ部３２を保持している。挟持部３４ａ，３４ｂは、フランジ部３２に取り付けられて下方に鉛直に伸びる部材であり、上部梁２４の厚みと略同程度の間隔をあけて対向して設けられている。
【００２９】
上部梁２４は、挟持部３４ａ，３４ｂの間に挟まれて配置されており、壁面１２０に対して垂直な方向への移動が規制されているが、壁面１２０に対して平行な方向への移動は許容されている。挟持部３４ａ，３４ｂは、単に円柱状の棒状部材であってもよいが、上部梁２４の移動を円滑に行うために軸とローラーを備えて、回転可能なローラーが上部梁２４と接触する構造であってもよい。
【００３０】
支点金具４０は、床面１１０に固定される平板状部分である床固定部４１と、床固定部４１から鉛直方向に立設された鉛直部４２を備える略コの字形状の金具である。支点金具４０の鉛直部４２には、貫通孔２５に対応した位置に貫通孔（図示省略）が形成されており、ボルト４３を貫通孔２５に挿入することで、可動支柱２２は貫通孔２５を中心として回転可能に支持されている。図３に示すように、可動支柱２２の下端は床面１１０および床固定部４１とは所定の間隔を隔てて軸支されている。
【００３１】
次に、外壁耐震性能展示装置１００の動作について図１〜３を用いて説明する。来場者は、ケース１０の側面１２から外部に取り出されたハンドル１６を把持し、窓部１４からケース１０内部を見ながら、揺動展示部２０に対して左右方向に力を加える。可動支柱２２は、下端が支点金具４０で回転可能に軸支されるとともに、上端が上部梁２４に回動可能に連結されているため、ハンドル１６に左右方向の力が加わると床面１１０に対する角度が変化する。
【００３２】
外壁耐震性能展示装置１００では、可動支柱２２の回動により揺動展示部２０全体も左右方向に変位し、上部梁２４および外壁パネル２１ａ〜２１ｄも左右方向に変位する。このとき、可動支柱２２に固定された取付金具２２ａも変位し、外壁パネル２１ａ〜２１ｄの四隅に位置する取付金具２２ａで構成される四角形が平行四辺形に変化する。また、左側の外壁パネル２１ａ，２１ｂを保持する取付金具２２ａと、右側の外壁パネル２１ｃ，２１ｄを保持する取付金具２２ａの相対位置も変化する。
【００３３】
仮に外壁パネル２１ａ〜２１ｄを可動支柱２２に直接固定する構造では、上述した揺動展示部２０の左右方向への変位によって外壁パネル２１ａ〜２１ｄに割れや脱落が生じ、間隙に充填された目地シーリング２３に応力が加わって劣化してしまう。しかし本発明では、取付金具２２ａを可動支柱２２に固定し、取付金具２２ａで外壁パネル２１ａ〜２１ｄを保持する構造としており、揺動展示部２０を変位させても外壁パネル２１ａ〜２１ｄの割れや脱落を防止でき、目地シーリング２３の劣化も抑制できる。
【００３４】
来場者は、ハンドル１６を操作することで揺動展示部２０を左右方向に変位させるとともに、窓部１４から可動支柱２２の変位と外壁パネル２１ａ〜２１ｄおよび取付金具２２ａの状態を視認する。また、外壁パネル２１ａ〜２１ｄと取付金具２２ａは、実際の住宅に用いられるものが使用されている。実際の住宅では、震度４から５弱に相当する中規模の地震では建物の傾き（層間変形）による横ズレはほとんど生じず、震度６から７に相当する大規模の自身でも１ｍｍ程度の横ズレが生じるだけである。本発明の外壁耐震性能展示装置１００では、揺動展示部２０を来場者が操作すると大地震相当よりも大きな変位を起こし、１０ｍｍ程度の横ズレを生じさせることができる。したがって、取付金具２２ａによる外壁パネル２１ａ〜２１ｄの変位吸収の機能を来場者に理解しやすく提示し、取付金具２２ａを用いることの優位性を十分にアピールできる。
【００３５】
上述したように外壁耐震性能展示装置１００は、ハンドル１６を来場者が自ら操作して揺動展示部２０を変位させ、取付金具２２ａの機能を体験可能であり、取付金具２２ａを用いることの優位性を十分に印象づけることができる。また、手動で揺動展示部２０を左右に変位させるため、電動のモータや制御装置が不要となり小型化が容易であり、電源の無い場所にも設置することができるため設置自由度も向上する。
【００３６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００３７】
１００…外壁耐震性能展示装置
１１０…床面
１２０…壁面
１０…ケース
２０…揺動展示部
３０…スライド金具
４０…支点金具
１１…正面
１２，１３…側面
１４…窓部
１５…ストッパー
１６…ハンドル
２１ａ〜２１ｄ…外壁パネル
２２…可動支柱
２２ａ…取付金具
２３…目地シーリング
２４…上部梁
２５，２６…貫通孔
３１…壁面固定部
３２…フランジ部
３３…Ｌ字部
３４ａ…挟持部
４１…床固定部
４２…鉛直部
４３…ボルト
【図１】
2020071246.tif 000003
【図２】
2020071246.tif 000004
【図３】
2020071246.tif 000005